【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】  ラジカル重合可能なモノマーの混合物のラジカル重合により、光学品質のフォトクロミックまたは非フォトクロミック有機部品、特に有機レンズを製造する方法であって、
a)  予備重合により、前記混合物の粘度を0.4から2Ｐａ・ｓまでの間の値に調節し；
b)  該予備重合された混合物を型中に注ぎ入れ；
c)  該型中において、前記予備重合された混合物をそのゲル化点まで光ゲル化させ；
d)  該型内にある該予備重合されゲル化された混合物の重合を熱処理により完了する；
各工程を含み、
ここで、前記予備重合、光ゲル化および重合の実施のために、前記モノマーの混合物中に、有効量の少なくとも１つの熱触媒および少なくとも１つの光重合開始剤が加えられ；該光重合開始剤が、前記モノマーの混合物の100重量部当たり0.009重量部以下の量で存在することを特徴とする方法。
【請求項２】  前記予備重合が熱または光化学予備重合であることを特徴とする請求項１記載の方法。
【請求項３】  前記予備重合が、有効量の熱触媒および光重合開始剤を含有する、または有効量の熱触媒のみを含有し、熱予備重合が完了し、型中に注ぎ入れられる前に有効量の光重合開始剤が加えられるモノマーの混合物について行われる熱予備重合であることを特徴とする請求項１または２記載の方法。
【請求項４】  前記予備重合が、有効量の光重合開始剤を含有するモノマーの混合物について行われる光化学予備重合であり；有効量の熱触媒が、その光化学予備重合の前またはその完了の際に前記モノマーの混合物に加えられることを特徴とする請求項１または２記載の方法。
【請求項５】  前記光ゲル化および前記予備重合が、光化学予備重合の場合、主に可視であり、紫外線のほとんどない照射の元で行われることを特徴とする請求項１から４いずれか１項記載の方法。
【請求項６】  前記モノマーの混合物が、アクリルおよび／またはメタクリルおよび／またはアルケニルモノマー、特にビニルまたはアリルモノマーを含有することを特徴とする請求項１から５いずれか１項記載の方法。
【請求項７】  前記モノマーの混合物が、種類(a)の１つ以上の二官能モノマーおよび種類(b)の１つ以上の二官能モノマーを含有し：
＊  該種類(a)の二官能モノマーは、以下の化学式（Ａ）および（Ａ’）の内の一方または他方のものである：
＋  化学式（Ａ）：
【化１】
2002525424.tif 000001
ここで：
−  Ｒ1、Ｒ’1、ＲおよびＲ’は、同じか異なり、独立して水素またはメチル基であり；
−  ｍおよびｎは、独立して、０から４までの整数であり；
−  ＸおよびＸ’は、同じか異なり、ハロゲンであり；
−  ｐおよびｑは、独立して、０から４までの整数である；
＋  化学式（Ａ’）：
【化２】
2002525424.tif 000002
ここで：
−  Ｒ1およびＲ’1は、同じか異なり、独立して水素またはメチル基であり；
−  Ｒは、2から8までの炭素原子を有する直鎖または枝分れアルキル基、3から6までの炭素原子を有するシクロアルキル基、Ｒ’およびＲ”が、同じか異なり、独立して2から4までの炭素原子を有する直鎖または枝分れアルキル基である化学式（Ｒ’−Ｏ−Ｒ”）のエーテル基であり；
＊  長鎖アルケン二官能オリゴマーである種類(b)の二官能モノマーは、以下の化学式（Ｂ）、（Ｂ’）および（Ｂ”）の内の一方または他方のものである：
＋  化学式（Ｂ）：
【化３】
2002525424.tif 000003
ここで：
−  Ｒ1、Ｒ’1、Ｒ2およびＲ’2は、同じか異なり、独立して水素もしくは1から4までの炭素原子を有する直鎖または枝分れアルキル基；
−  Ｒ3およびＲ4は、異なり、独立して一方が水素であり、他方が2から6までの炭素原子；
−  Ｒ’3およびＲ’4は、異なり、独立して一方が水素であり、他方が2から6までの炭素原子；
−  Ｚは、カルバメート基（−ＮＨ−ＣＯ−Ｏ−）、チオカルバメート基（−ＮＨ−ＣＯ−Ｓ−）または尿素基（−ＮＨ−ＣＯ−ＮＨ−）を表し；
−  Ｚ’は、Ｚとは独立して、カルバメート基（−ＮＨ−ＣＯ−Ｏ−）、チオカルバメート基（−ＮＨ−ＣＯ−Ｓ−）または尿素基（−ＮＨ−ＣＯ−ＮＨ−）を表し；
−  Ｒ’は、2から4までの炭素原子を有する長鎖または枝分れアルキル基を表し；
−  Ｒは、ｎ≧2の場合に同じか異なり、2から4までの炭素原子を有する直鎖または枝分れアルキル基であり；
−  Ｙは、ｎ≧2の場合に同じか異なり、酸素または硫黄であり；
−  ｎは、２つの部位ＺおよびＺ’の間に位置する長鎖に含まれる炭素原子の総数が、少なくとも18に等しいように定義された整数である；
＋  化学式（Ｂ’）：
【化４】
2002525424.tif 000004
ここで：
−  Ｒ1、Ｒ2、Ｒ3、Ｒ4、Ｒ’1、Ｒ’2、Ｒ’3、Ｒ’4、ＲおよびＹは、化学式（Ｂ）に関して上記のごとく定義されたものであり；
−  ｎは、部位（Ｒ−Ｙ）nの長鎖に含まれる炭素原子の総数が、少なくとも22に等しいように定義された整数である；
＋  化学式（Ｂ”）：
【化５】
2002525424.tif 000005
ここで：
−  Ｒ1、Ｒ2、Ｒ3、Ｒ4、Ｒ’1、Ｒ’2、Ｒ’3、Ｒ’4、Ｒ、Ｒ’およびＹは、化学式（Ｂ）に関して上記のごとく定義されたものであり；
−  Ｚ’はカルバメート基（−Ｏ−ＣＯ−ＮＨ−）またはＺ’はチオカルバメート基（−Ｓ−ＣＯ−ＮＨ−）であり；好ましくは、Ｚ’はカルバメート基であり；
−  ｎは、部位（Ｒ−Ｙ）n−Ｒ’の長鎖に含まれる炭素原子の総数が、少なくとも22に等しいように定義された整数である；
ことを特徴とする請求項１から６いずれか１項記載の方法。
【請求項８】  前記モノマーの混合物が、ビニル二官能モノマーである、化学式（Ｂ）の種類(b)のモノマーを少なくとも１つ含有し、ここで：
−  ＺおよびＺ’が尿素官能基（−ＮＨ−ＣＯ−ＮＨ−）であり；
−  Ｒ1、Ｒ’1、Ｒ2およびＲ’2が、同じであり、メチル基を示し；
−  Ｒ3およびＲ’3が、同じであり、イソプロペニル基を示し；
−  Ｒ4およびＲ’4が、同じであり、水素であり；
−  Ｒ’がエチレンまたはプロピレン基を示し；
−  ｎは、（Ｒ−Ｙ）nがポリオキシエチレン鎖である場合、28または40に等しいＺからＺ’までの間の炭素原子の総数を定義する13または19と等しい整数であり；またはｎは、（Ｒ−Ｙ）nがポリオキシプロピレン鎖である場合、33または45に等しいＺからＺ’までの間の炭素原子の総数を定義する10または14と等しい整数であり；またはｎは、（Ｒ−Ｙ）nがポリオキシエチレン／ポリオキシプロピレン混合鎖である場合、下限値（ｎが10から13まで）と、上限値（ｎが14から19まで）との間の整数である；
ことを特徴とする請求項７記載の方法。
【請求項９】  前記モノマーの混合物は：
(c)  化学式（Ｃ）の少なくとも１つの芳香族モノビニルモノマー：
【化６】
2002525424.tif 000006
ここで、Ｒ1＝ＨまたはＣＨ3であり；
および／または
(d)  化学式（Ｄ）の少なくとも１つの芳香族ジビニルモノマー：
【化７】
2002525424.tif 000007
ここで、Ｒ1＝ＨまたはＣＨ3であり；
および／または
(e)  化学式（Ｅ）の少なくとも１つの（メタ）アクリルモノマー：
ＣＨ2＝Ｃ（Ｒ）−ＣＯＯＲ’
ここで、Ｒ＝ＨまたはＣＨ3であり、Ｒ’は4から16までの炭素原子を有する直鎖または枝分れアルキル基、必要に応じて置換されたベンジルまたはフェノキシエチル基（一般的にＣ1−Ｃ6アルキル基により置換される）またはｎが1から10までの間の整数であり、Ｒ”＝ＣＨ3またはＣ2Ｈ5である化学式−（ＣＨ2−ＣＨ2−Ｏ）nＲ”のポリエトキシ基であり；
および／または
(f)  ジアリルフタレート；
を含有することを特徴とする請求項１から８いずれか１項記載の方法。
【請求項１０】  前記モノマーの混合物が、少なくとも３つの反応性官能基を有する少なくとも１つのアクリルモノマーを含有することを特徴とする請求項１から９いずれか１項記載の方法。
【請求項１１】  前記モノマーの混合物が、フォトクロミック特性を前記調製された部品に与えることを意図した有効量の少なくとも１つのフォトクロミック着色剤を含有することを特徴とする請求項１から１０いずれか１項記載の方法。
【請求項１２】  前記熱触媒が、ジアゾ化合物から選択されることを特徴とする請求項１から１１いずれか１項記載の方法。
【請求項１３】  前記光重合開始剤が、アシル酸化物およびジアシルホスフィン酸化物から選択されることを特徴とする請求項１から１２いずれか１項記載の方法。
【請求項１４】  厚さが0.2から20ｍｍまでの間にある部品を調製するために用いられることを特徴とする請求項１から１３いずれか１項記載の方法。
【請求項１５】  請求項１０から１４いずれか１項記載の方法により調製できる光学品質の有機部品、特に有機レンズ。
【請求項１６】  有効量の少なくとも１つのフォトクロミック着色剤を含有するまたは含有しない、ラジカル重合可能なモノマーの混合物であって、該モノマーの混合物の100重量部当たり、0.009重量部までの少なくとも１つの光重合開始剤を含有することを特徴とするラジカル重合可能なモノマーの混合物。
【請求項１７】  有効量の少なくとも１つのフォトクロミック着色剤を含有するまたは含有しない、ラジカル重合可能なモノマーの混合物であって：
−  請求項７記載の化学式（Ａ）および（Ａ’）の一方または他方の種類(a)の少なくとも１つの二官能モノマー；
−  請求項７記載の化学式（Ｂ）、（Ｂ’）および（Ｂ”）の一方または他方の種類(b)の少なくとも１つの二官能モノマー；および
−  少なくとも３つの反応性官能基を有する少なくとも１つのアクリルモノマー；
を含むことを特徴とするラジカル重合可能なモノマーの混合物。
【請求項１８】  前記ラジカル重合可能なモノマーの混合物が：
−  請求項７記載の化学式（Ａ）の種類(a)の少なくとも１つの二官能モノマー；
−  請求項７記載の化学式（Ｂ）の種類(b)の少なくとも１つの二官能モノマー；
−  少なくとも３つの反応性官能基を有する少なくとも１つのアクリルモノマー；
−  化学式（Ｄ）の少なくとも１つの芳香族ジビニルモノマー：
【化８】
2002525424.tif 000008
ここで、Ｒ1＝ＨまたはＣＨ3；および
−  化学式（Ｅ）の少なくとも１つの（メタ）アクリルモノマー：
ＣＨ2＝ＣＨ（Ｒ）−ＣＯＯＲ’
ここで、Ｒ＝ＨまたはＣＨ3であり、Ｒ’が、4から16までの炭素原子を有する直鎖または枝分れアルキル基、必要に応じて置換されたベンジルまたはフェノキシエチル基、もしくはｎが1から10までの間にあり、Ｒ”＝ＣＨ3またはＣ2Ｈ5である化学式−（ＣＨ2−ＣＨ2−Ｏ）nＲ”のポリエトキシ基であり；
を含むことを特徴とする請求項１７記載のラジカル重合可能なモノマーの混合物。